(57)【特許請求の範囲】
【請求項１】
構築物計画の地面を整地した面上に、又は掘削排土して形成した凹部底面を整地した面上に発泡樹脂材を敷設して形成した発泡樹脂基盤と、
該発泡樹脂基盤の上面に一体的に構築したベタ基礎と、
から成る構築物用基礎構造において、
前記発泡樹脂基盤の外周に発泡樹脂材の溶融を阻止する耐溶融性材から成る防護部材を、前記外周の端面から所定寸法だけ前記発泡樹脂基盤の内側に入り込んだ位置で前記外周端面に沿って平行に配置すると共に、前記防護部材で閉ループ状に連続して取り囲むように配設したことを特徴とする構築物用基礎構造。
【請求項２】
前記閉ループ状を形成する各防護部材を直線状に形成すると共にその両端部を、前記発泡樹脂層の端部まで延長させたことを特徴とする請求項１記載の構築物用基礎構造。
【請求項３】
前記耐溶融性材が、
耐溶融性を有する発泡樹脂ブロック又は樹脂板であることを特徴とする請求項１、又は２記載の構築物用基礎構造。
【請求項４】
前記耐溶融性材が、
所定厚さに塗布して成る耐溶融性の塗布材であることを特徴とする請求項１、又は２記載の構築物用基礎構造。
【請求項５】
前記耐溶融性材が、
灯油、ガソリン、等の薬品、並びにこれらを含有する液状体に対して耐溶融性を有するものであることを特徴とする請求項１、２、３、又は４記載の構築物用基礎構造。
【発明の詳細な説明】
【技術分野】
【０００１】
本願に係る発明（以下、「本発明」と称する。）は、構築物計画の地面を整地して、又は掘削排土して形成した凹部底面を整地して施工する構築物用基礎構造に関する。
【背景技術】
【０００２】
従来から、住宅や低層建屋の基礎構築において、建物計画の整地面上に発泡樹脂ブロックを敷設して発泡樹脂基盤を形成し、その上面にベタ基礎を一体的に施工して成る基礎構造が知られている。かかる構造は、軟弱地盤における支持強度維持、不同沈下の防止、及び地震振動の低減、などに有効な効果を発揮するものである。
【０００３】
しかし、上記の発泡樹脂基盤を構成する発泡樹脂材の多くは、灯油やガソリンや有機溶剤などの薬品を含有の液体（以下、「薬品液」と称する。）に触れると溶融するという物性を持っている。そのため、地震や経年変化により建物に付設した貯留タンク、又は近隣に埋設した貯留槽が損傷して、貯留していた薬品液が漏れ出して建物基礎に浸入してきた場合に、上記発泡樹脂材が溶解して基礎の支持力が低下して、状況によっては建物の傾きを招く問題があった。
【０００４】
この薬品液の浸入を積極的に防止することを目的としたものではないが、例えば、特許文献１に記載の建造物の基礎構造に係る発明が提案されている。
【０００５】
この特許文献１に開示の発明は、発泡樹脂基盤と、該発泡樹脂基盤上に形成された基礎構造基盤と、及び該基礎構造基盤を支持すると共に前記発泡樹脂基盤の外周側に配置される外周支持構造部と、を具備する基礎構造であって、前記外周支持構造部は、下方の接地面が前記発泡樹脂基盤の外周に沿った軸線を備えた凸円筒面状に形成されるとともに上部に支持面を有し、該支持面が前記基礎構造基盤の底部を下方より支持することを特徴としていた。
【先行技術文献】
【特許文献】
【０００６】
【特許文献１】特開２０１１−９９２８２号公報
【発明の概要】
【発明が解決しようとする課題】
【０００７】
しかし、特許文献１に開示した基礎構造では、基盤上の発泡樹脂材の周囲には砂利や枠材等を設置しているものの、薬品液の浸入を防止し目的とする材質及び構造を形成するものではなかった。このため、発泡樹脂基盤内に上記溶融起因となる薬品液が浸透した場合に発泡樹脂材の溶解が発生し、基礎構造の不同沈下や、建物の傾きや崩壊が生じる課題を解決するものではなかった。
【０００８】
一方で、上記課題解決の一案として、広範囲に敷設する上記発泡樹脂材そのものを、耐溶融性を有する発泡樹脂材とすれば良いが、材料コストが高価になり、ひいては施工費が上昇してしまうという問題があった。
【０００９】
そこで、本願発明は、施工費をできるだけ抑えて、上記課題の解決を目的としたものである。
【課題を解決するための手段】
【００１０】
上記の課題を解決するため、本発明にかかる構築物用基礎構造は、構築物計画の地面を整地した面上に、又は掘削排土して整地した面上に発泡樹脂材を敷設して形成した発泡樹脂基盤と、該発泡樹脂基盤の上面に一体的に構築したベタ基礎と、から成る構築物用基礎構造において、前記発泡樹脂基盤の外周部に発泡樹脂材の溶融を阻止する耐溶融性材からなる防護部材を、前記外周の端面から所定寸法だけ前記発泡樹脂基盤の内側に入り込んだ位置で前記外周端面に沿って平行に配置すると共に、該防護部材で閉ループ状に連続して取り囲むように配設したことを特徴とする。
【００１１】
ここで、閉ループ状に配設とは、少なくとも発泡樹脂を溶融させる薬品液が、何れの箇所からも防護部材の囲み内に進入しない程度に閉じた状態を意味する。
【００１２】
さらに、上記防護部材の配設においては、前記閉ループ状を形成する各防護部材を直線状に形成すると共にその両端部を、前記発泡樹脂層の端部まで延長させたことを特徴としている。
【００１３】
また、前記防護部材は、耐溶融性材からなる発泡樹脂ブロック又は非発泡性の樹脂板を用いており、当該耐溶融材は、灯油やガソリンなどの薬品液との接触による溶融を阻止する部材から成ることを特徴としている。
【発明の効果】
【００１４】
上記構成により本発明は、以下に列挙した効果を奏する。
（１）構築物に付設した貯留タンクや地下埋設の貯留槽の亀裂などから浸出した薬品液の外部からの浸入を阻止して、発泡樹脂材の溶融を防止することができる。その結果、基礎崩壊による不同沈下による構築物の傾斜などを抑止できる。
（２）発泡樹脂基盤の外周のみの配設であるため、高価な防護部材を基礎全面に敷設することなく、外周部のみを囲むように配設しているため、施工費の低減を図ることができる。
（３）防護部材には、ブロック状の発泡樹脂材だけでなく所定厚さの非発泡性の樹脂板も選択できることにより、多様な構築物の基礎構造に応用できる。
【図面の簡単な説明】
【００１５】
【図１】本発明の構築物用基礎構造を示す一部切り欠き斜視図である。
【図２】本発明の構築物用基礎構造の発泡樹脂基盤の敷設及び防護部材の配設状況を示す平面図（Ａ）と要部の断面図（Ｂ）である。
【図３】本発明の構築物用基礎構造の作用説明図（Ａ）、（Ｂ）である。
【図４】本発明の構築物用基礎構造のバリエーションを示す平面図（Ａ）、（Ｂ）、（Ｃ）である。
【図５】本発明の構築物用基礎構造のその他の実施例のバリエーションを示す断面図（Ａ）、（Ｂ）、（Ｃ）、（Ｄ）である。
【図６】本発明の構築物用基礎構造のその他の実施例における発泡樹脂基盤の敷設及び防護部材の配設状況を示す平面図（Ａ）と要部の断面図（Ｂ）である。
【発明を実施するための形態】
【００１６】
以下に、本発明の実施例に係る構築物用基礎構造（以下、「本構造」と称する。）をその施工法と併せて図面に基づき詳細に説明する。
【００１７】
まず、本構造１は、主に、住宅や低層建屋の構築物Ｂの構築計画箇所（又は周囲）を所定深さに根切りして凹部を形成し、その凹部底面を整地して所定個数の矩形体状の発泡樹脂材ブロック３１を密接に配設して発泡樹脂基盤３を形成する。そして、この上面に配筋工程とコンクリート打設工程を経てベタ基礎６を一体的に形成して構成している。
【００１８】
図面に基づいて説明すると、図１の図符号２１は、根切り部である。この根切り部２１は、構築物Ｂの設置領域に適合させて所定深さに地盤２を掘削排土して形成した凹部である。
【００１９】
根切り部２１の底部には、調整面２２を形成している。この調整面２２は、根切り部２１の底部に、土木シート、砕石、調整砂の順に敷き、転圧してレベル調整して形成されている。
【００２０】
ここで、本実施例では、上記したように、排土した凹部となる根切り部２１の底部に調整面２２を形成しているが、施工場所の環境により根切りをすることなく、地面上に直接的に調整面２２を形成してもよい。
【００２１】
また、この調整面２２の機能としては、その上面側に敷設する発泡樹脂基盤３の支持基盤となって、その敷設後の安定性を確保すると共に、前記土木シートによって地盤内に残留している水分や有害物質の上方への浸出（染み出し）を阻止している。
【００２２】
上記調整面２２の上面には、発泡樹脂材として、適宜のサイズから成る直方体状の発泡樹脂ブロック３１を上下左右に相互に当接させて密接状に敷設して発泡樹脂基盤３を形成している。また、可能であれば、大型盤状の１個の発泡樹脂ブロック３１から発泡樹脂基盤３を形成するようにしてもよい。また、上記発泡樹脂ブロック３１の配設時においては、後述するベタ基礎６の施工による一体化までの間、仮止め的に接着テープや接着剤、等で固定してもよい。
【００２３】
本実施例では、発泡樹脂基盤３の大部分を占める発泡樹脂ブロック３１に、難燃剤が添加されているポリスチレン樹脂を原料とした土木用発泡スチロール成形体を採用しており、運搬と現場作業の容易性から、主に縦１０００ｍｍ、横２０００ｍｍ、厚さ５００ｍｍの長方形体を採用している。また敷設範囲の状況に合わせて適宜に切断加工を施し、密着性と敷設時の保形安定性を確保している。
【００２４】
なお、上記発泡樹脂ブロック３１の材質としては、上記ポリスチレン系樹脂発泡体の他に、ポリエチレン系樹脂発泡体、ポリプロピレン系樹脂発泡体、等を用いてもよい。さらに、軽量性及び強度性などの確保の点からこれらの組合せとしてもよい。
【００２５】
さらに、発泡樹脂基盤３の外周の端面には、ブロック状の防護部材４を連続して一連に取り囲むように（「閉ループ状」）に当接させて配設している。この防護部材４は、灯油、ガソリン、又は有機溶剤を含有する薬品液との接触による溶融を阻止する性能を備えた耐溶融材である。本実施例では、発泡性の無架橋ポリプロピレン型内発泡体、若しくはアクリロニトル−スチレン共重合体を採用している。
【００２６】
ここで、防護部材４の配設が、図１に示したようにベタ基礎６の施工領域から外側に拡張して設置した場合は，その拡張部分の上面に調整コンクリート５を打設している。これにより複数個を連続かつ密着させて配設した防護部材４どうしの連結性と密着性を向上させると共に、後述するベタ基礎６との一体化を図っている。
【００２７】
次に、上記発泡樹脂ブロック３１の敷設により形成した発泡樹脂基盤３、及び防護部材４の上面には、公知の作業工程である基礎配筋工事、型枠設置工事、設備配管工事、及びコンクリート打設工事、を経てベタ基礎６を構築している。そして、このベタ基礎６と一体化した基礎立ち上がり部分を基礎として構築物Ｂを構築している。
【００２８】
本構造１は、上記したように地盤２に根切り部２１を形成しているため、外周位に埋め戻し土Ｓを配置している。一方、根切り部２１を形成しない場合は、埋戻しを行う必要はないが、適宜に盛土工事を行ってもよい。
【００２９】
上記構成の本構造１は、図３に示すように、付設した貯留タンクＴから灯油等の薬品液が漏れて構築物周囲の土壌に浸透し、これがベタ基礎６の外周下部からの発泡樹脂基盤３へ浸入しても、防護部材４によって効果的に阻止することができる。
【００３０】
ところで、本構造１は、構築物Ｂに適合させた基礎形状や対象の地盤２の状態に適合させるべく様々なバリエーションに変形可能である。例えば、図４（Ａ）に示すように、発泡樹脂基盤３及び防護部材４の各厚さを合わせて調整面２２を形成した後、両者に調整コンクリート５を打設し、その後にベタ基礎６を構築する形態としてもよい。
【００３１】
また、図４（Ｂ）の本構造１は、地盤上面に敷設した発泡樹脂基盤３と外周端部に配設した防護部材４とを一体的にベタ基礎内部に取り込んだ態様としてもよい。この態様では外周端部側のベタ基礎６にクラックが生じた場合には、そのクラックからの浸入する薬品液から基礎内の発泡樹脂基盤３の溶解を阻止することができる。
【００３２】
さらに、図４（Ｃ）の本構造１は、上記（Ａ）、（Ｂ）の組み合わせであり、敷設した発泡樹脂基盤３とその外周に周回状に配設した防護部材４によって嵩上げした地盤を形成し、その上部に改めて発泡樹脂ブロック３１を取り込んだベタ基礎６を構築する態様である。
【００３３】
上記の何れの本構造１の態様は、発泡樹脂基盤３を発泡樹脂材から成る防護部材４を周回しつつ密接状に配設して構成している。この態様の場合、発泡樹脂基盤３及び防護部材４が発泡樹脂材どうしの接触のため、付随的に振動低減効果も発揮している。
【００３４】
［他の実施例］
上記の本構造１の防護部材４は発泡樹脂材を採用していたが、防護部材４はこれに限定するものではない。例えば、図５の（Ａ）〜（Ｄ）に示すように、耐溶融材を塗布材として塗布した樹脂製の防護板材７を採用してもよい。
【００３５】
この防護板材７を採用した場合、発泡樹脂ブロック３１の外周面だけでなく上面を覆う必要があり、配設は調整コンクリート５までも覆う配設となる。
【００３６】
また、防護板材７は、（Ｃ）の場合を除き、ベタ基礎６とは別体的に配置しているため、施工後においても防護板材７の交換が容易であり、保守性が向上する効果もある。
【００３７】
さらに、図６に示したように、前記した防護板材７の配設を発泡樹脂基盤３の外周端面への当接配置の他に、該外周端面から発泡樹脂基盤３の内側に所定寸法だけ入り込んだ位置で、前記外周端面に沿って平行に配設してもよい。この場合、防護板材７による閉ループが形成できれば、端部を発泡樹脂基盤の端部に迄延長させ、施工し易い配設としてもよい
【符号の説明】
【００３８】
１  本構造
２  地盤
２１  根切り部
２２  調整面
３  発泡樹脂基盤
３１  発泡樹脂ブロック
４  防護部材
５  調整コンクリート
６  ベタ基礎
７  防護板材
Ｂ  構築物
Ｓ  埋戻し土
Ｔ  貯留タンク
【要約】      （修正有）【課題】建物計画の整地面上に発泡樹脂ブロックを敷設して発泡樹脂基盤を形成し、その上面にベタ基礎を一体的に施工して成る基礎構造において、有機溶剤などの薬品液の侵入を防止する構築物用基礎構造を提供する。【解決手段】構築物計画の地面を掘削排土して整地した調整面上に発泡樹脂ブロック３１を敷設して形成した発泡樹脂基盤３と、発泡樹脂基盤３の上面に一体的に構築したベタ基礎６と、から成る構築物用基礎構造において、発泡樹脂基盤３の外周部に発泡樹脂材の溶融を阻止する耐溶融性材からなる防護部材４を、閉ループ状に連続して取り囲むように配設したことを特徴とする。防護部材４は、耐溶融性材からなる発泡樹脂ブロックを用いており、当該耐溶融材は、灯油やガソリンなどの有機溶剤などの薬品等との接触による溶融を阻止する部材から成る。【選択図】図１【図１】
0006944224.tif 000002
【図２】
0006944224.tif 000003
【図３】
0006944224.tif 000004
【図４】
0006944224.tif 000005
【図５】
0006944224.tif 000006
【図６】
0006944224.tif 000007